(57)【特許請求の範囲】
【請求項１】
フォーカスレンズから入力された光信号を電気信号に変換して映像信号として出力する撮像手段、
前記撮像手段から出力される映像信号を処理する映像信号処理手段、
処理された映像信号のうち焦点検出エリア内の映像信号を基にＡＦ評価値としての尖鋭度を算出するＡＦ評価手段、
前記フォーカスレンズを動かして物体距離を変更する駆動手段、
前記尖鋭度を基に前記駆動手段を制御して被写体への合焦処理を行う中央処理手段、
第１の操作と第２の操作とを行うことが可能な焦点検出エリア切換えスイッチ、
と、を有する光学装置において、
前記第１の操作に対して設定された撮影エリア内の第１のエリアと、前記第２の操作に対して設定された撮影エリア内の第２のエリアとを記憶する記憶手段を備えており、
前記第１のエリアと前記第２のエリアとは、互いにサイズ及び位置が異なっており、
前記ＡＦ評価手段は、前記焦点検出エリア切換えスイッチに対して前記第１の操作が行われている場合には、前記第１のエリアを前記焦点検出エリアとして前記尖鋭度を算出し、前記焦点検出エリア切換えスイッチに対して前記第２の操作が行われている場合には、前記第２のエリアを前記焦点検出エリアとして前記尖鋭度を算出することを特徴とする光学装置。
【請求項２】
前記記憶手段が、電源投入時の前記第１のエリアの初期値として、前回の電源切断時の前記第１のエリアのサイズ及び位置を記憶しており、電源投入時の前記第２のエリアの初期値として、前回の電源切断時の前記第２のエリアのサイズ及び位置を記憶していることを特徴とする請求項１記載の光学装置。
【請求項３】
前記記憶手段が、前記第１の操作が行われている状態で、初期値記憶指示手段を操作することにより、前記第１のエリアとして、任意の初期サイズ及び初期位置の設定を記憶することを特徴とする請求項２記載の光学装置。
【請求項４】
前記記憶手段が、前記第２の操作が行われている状態で、初期値記憶指示手段を操作することにより、前記第２のエリアとして、任意の初期サイズ及び初期位置の設定を記憶することを特徴とする請求項２又は３記載の光学装置。
【請求項５】
前記第１の操作後前記第２の操作を行うまで及び前記第２の操作後前記第１の操作を行うまで、ＡＦ処理を継続することを特徴とする請求項１乃至４いずれかに記載の請求項１乃至４いずれかに記載の光学機器。
【請求項６】
前記第１の操作によりＡＦ処理を１回行った後は前記第２の操作を行う前記フォーカスレンズを固定し、前記第２の操作後前記第１の操作を行うまではＡＦ処理を継続することを特徴とする請求項１乃至４いずれかに記載の光学装置。
【請求項７】
前記第１の操作後前記第２の操作を行うまでＡＦ処理を継続し、前記第２の操作によりＡＦ処理を１回行った後は前記第１の操作を行うまで前記フォーカスレンズを固定することを特徴とする請求項１乃至４いずれかに記載の光学装置。
【請求項８】
前記第１の操作により１回ＡＦ処理を行った後は前記第２の操作を行うまで前記フォーカスレンズを固定し、前記第２の操作によりＡＦ処理を１回行った後は前記第１の操作を行うまで前記フォーカスレンズを固定することを特徴とする請求項１乃至４いずれかに記載の光学装置。
【発明の詳細な説明】
【０００１】
【発明の属する技術分野】
本発明は、ＡＦ機能を搭載した動画像撮影装置であるビデオレンズ、ビデオカメラ、テレビレンズ又はテレビカメラを始めとした光学装置に関するものである。
【０００２】
【従来の技術】
近年、ＡＦ機能を搭載した動画像撮影装置であるビデオレンズ、ビデオカメラ、テレビレンズ又はテレビカメラを始めとした光学装置において、撮像信号中から被写体の尖鋭度に応じた信号を抽出して評価し、光学系の焦点検出動作を行う自動焦点検出方式（以降はＡＦ方式と記す）が主流となっている。この種のＡＦ方式の動作例について図１８を用いて説明する。
【０００３】
図１８は従来のＡＦ方式による動画像撮影装置であるビデオレンズ、ビデオカメラ、テレビレンズ又はテレビカメラを始めとした光学機器装置の構成を示すブロック図であり、同図中、１は動画像撮影装置であるビデオレンズ、ビデオカメラ、テレビレンズ又はテレビカメラを始めとする光学装置、２はフォーカスレンズ、３は入力する光信号を電気信号に変換して映像信号として出力するＣＣＤ（撮像素子）、４はＣＣＤ３から出力される映像信号を処理する映像信号処理部、５は処理された映像信号を基にＡＦ評価値として尖鋭度を算出するＡＦ評価部、６はＡＦ評価部５から入力した尖鋭度を元に後述するモータ７を制御することでフォーカスレンズ２の目標位置を算出するＣＰＵ（中央処理装置）、７はフォーカスレンズ２を駆動するモータ、８はフォーカスレンズ２の位置を検出し、ＣＰＵ６へ現在位置フィードバック信号として入力する物体距離検出部である。
【０００４】
フォーカスレンズ２を通った光は、ＣＣＤ３の撮像面上に結像し、ＣＣＤ３にて映像信号に変換し、出力される。映像信号処理部４では、ＣＣＤ３から入力された映像信号をフィルタ等により処理し映像信号を最適化する。ＡＦ評価部５では、撮影画面の中央に設定された焦点検出エリア内において、ＡＦ評価値として尖鋭度を算出する。ここで、前記焦点検出エリアが撮影画面の中央に設定されていることから、被写体は常に撮影エリアの中央において合焦されることになる。
【０００５】
物体距離検出部８はこのフォーカスレンズ２に機械的に接続することで、フォーカスレンズ２の位置を検出し、ＣＰＵ６に位置フィードバック信号として入力する。ＣＰＵ６では、ＡＦ評価部で算出された尖鋭度及び焦点距離検出部８で得られた位置フィードバック信号を基に、フォーカスレンズ２の目標位置を算出し、モータ７に位置指令信号を入力する。モータ７は、ＣＰＵ６から入力された位置指令信号を元にしてフォーカスレンズ２を駆動することで、フォーカスレンズ２の位置制御を行い、被写体への合焦処理を行う。
【０００６】
【発明が解決しようとする課題】
しかしながら、上記従来例では、焦点検出エリアを設定する操作部や設定した焦点検出エリアのサイズ及び位置を記憶する機能が搭載されていないため、以下のような欠点があった。
【０００７】
即ち、焦点検出エリアのサイズが常に固定された値で、焦点検出エリアの位置が常に撮影エリアの中央に位置することになるために、被写体の撮影エリア内における大きさが固定された焦点検出エリアに対して適当な値でない場合や撮影エリアにおける中央エリア外で撮影する必要のある場合に、最適な状態で合焦処理を行うことができないか、合焦処理を行うためには、自動合焦機構を非動作状態にして合焦機構を手動操作するか、自動合焦機構を動作状態にして、被写体を撮影画面の中央に移動させるためにパン及びチルトせざるを得ず、結果として操作が煩雑となり、他の操作に支障を来たす可能性があるという問題点があった。
【０００８】
従って、第１の発明の目的は、撮影者が撮影前に予め焦点検出エリアのサイズを設定しておくことを可能とし、撮影中には余計な手間を掛けることなく、１つのスイッチで２つの焦点検出エリアのサイズを切換えることができ、結果として高速な焦点検出エリアの切換えが可能となり、又、他の操作に集中することを可能とすることである。
【０００９】
第２の発明の目的は、撮影者が撮影前に予め焦点検出エリアのサイズ及び位置を設定しておくことを可能とし、撮影中には余計な手間を掛けることなく、１つのスイッチで２つの焦点検出エリアのサイズ及び位置を切換えることができ、結果として高速な焦点検出エリアの切換えが可能となり、又、他の操作に集中することを可能とすることである。
【００１０】
第３の発明の目的は、焦点検出エリア切換え手段のＯＦＦの状態での焦点検出エリアは、一義的に決められたサイズ及び位置、例えば撮影エリアの中央位置における或る一定のサイズ等とし、焦点検出エリア切換え手段のＯＮに対して、任意のサイズ及び位置における焦点検出エリアを設定することを可能とすることにより、結果として高速な焦点検出エリアの切換えが可能となり、又、他の操作に集中することを可能とすることである。
【００１１】
第４の発明の目的は、焦点検出エリア切換え手段のＯＮの状態での焦点検出エリアは、一義的に決められたサイズ及び位置、例えば撮影エリアの中央位置における或る一定のサイズ等とし、焦点検出エリア切換え手段のＯＦＦに対して、任意のサイズ及び位置における焦点検出エリアを設定することを可能とすることにより、結果として高速な焦点検出エリアの切換えが可能となり、又、他の操作に集中することを可能とすることである。
【００１２】
第５の発明の目的は、上記焦点検出エリア切換え手段のＯＮ及びＯＦＦに対して、電源投入直後における初期値としての焦点検出エリアのサイズ及び位置を設定することを可能とすることにより、撮影者は使用頻度の高い任意の焦点検出エリアのサイズ及び位置を、電源投入毎に設定し直す必要がなく、結果として、設定の手間を省くことが可能となり、又、迅速に撮影を開始することを可能とすることである。
【００１３】
【課題を解決するための手段】
上記目的を達成するため、第１の発明は、
フォーカスレンズから入力された光信号を電気信号に変換して映像信号として出力する撮像手段、前記撮像手段から出力される映像信号を処理する映像信号処理手段、処理された映像信号を基にＡＦ評価値として尖鋭度を算出するＡＦ評価手段、前記フォーカスレンズを動かして物体距離を変更する駆動手段、前記ＡＦ評価手段により得られる尖鋭度を元に前記フォーカスレンズを制御して、被写体への合焦処理を行う中央処理手段、前記フォーカスレンズに機械的に接続することで前記フォーカスレンズの位置を検出する物体距離検出手段を有する光学装置において、
焦点検出エリアサイズ拡大手段と焦点検出エリアサイズ縮小手段から構成される焦点検出エリアサイズ設定手段と、焦点検出エリア切換え手段と、焦点検出エリア決定手段から構成される焦点検出エリア操作手段、焦点検出エリア等を記憶する記憶手段を有することにより、
焦点検出エリアのサイズを任意に変更することを可能とし、更に２つの焦点検出エリアのサイズを、上記焦点検出エリア切換え手段のＯＮ及びＯＦＦに割り当て、上記記憶手段へ２つの焦点検出エリアのサイズを記憶することで、１つの上記焦点検出エリア切換え手段に対して２つの焦点検出エリアのサイズを記憶することを可能としたことを特徴とするものである。
【００１４】
第２，第３及び第４の発明は、
フォーカスレンズから入力された光信号を電気信号に変換して映像信号として出力する撮像手段、前記撮像手段から出力される映像信号を処理する映像信号処理手段、処理された映像信号を基にＡＦ評価値として尖鋭度を算出するＡＦ評価手段、前記フォーカスレンズを動かして物体距離を変更する駆動手段、前記ＡＦ評価手段により得られる尖鋭度を基に前記フォーカスレンズを制御して被写体への合焦処理を行う中央処理手段、前記フォーカスレンズに機械的に接続することで前記フォーカスレンズの位置を検出する物体距離検出手段、を有する光学装置において、
焦点検出エリア左移動手段と焦点検出エリア上移動手段と焦点検出エリア右移動手段と焦点検出エリア下移動手段から構成される焦点検出エリア移動手段と、焦点検出エリアサイズ拡大手段と焦点検出エリアサイズ縮小手段とから構成される焦点検出エリアサイズ設定手段と、焦点検出エリア切換え手段と、焦点検出エリア決定手段から構成される焦点検出エリア操作手段、焦点検出エリア等を記憶する記憶手段を有することにより、
焦点検出エリアのサイズ及び位置を任意に変更することを可能とし、更に２つの焦点検出エリアのサイズ及び位置を、上記焦点検出エリア切換え手段のＯＮ及びＯＦＦに割り当て、上記記憶手段へ２つの焦点検出エリアのサイズ及び位置を記憶することで、１つの上記焦点検出エリア切換え手段に対して２つの焦点検出エリアのサイズ及び位置を記憶することを可能としたことを特徴とするものである。
【００１５】
第５の発明は、
フォーカスレンズから入力された光信号を電気信号に変換して映像信号として出力する撮像手段、前記撮像手段から出力される映像信号を処理する映像信号処理手段、処理された映像信号を基にＡＦ評価値として尖鋭度を算出するＡＦ評価手段、前記フォーカスレンズを動かして物体距離を変更する駆動手段、前記ＡＦ評価手段により得られる尖鋭度を基に前記フォーカスレンズを制御して被写体への合焦処理を行う中央処理手段、前記フォーカスレンズに機械的に接続することで前記フォーカスレンズの位置を検出する物体距離検出手段、を有する光学装置において、
焦点検出エリア左移動手段と、焦点検出エリア上移動手段と、焦点検出エリア右移動手段と、焦点検出エリア下移動手段から構成される焦点検出エリア移動手段と、焦点検出エリアサイズ拡大手段と焦点検出エリアサイズ縮小手段とから構成される焦点検出エリアサイズ設定手段と、焦点検出エリア切換え手段と、焦点検出エリア決定手段と、焦点検出初期エリア決定手段とから構成される焦点検出エリア操作手段、焦点検出エリア等を記憶する記憶手段を有することにより、
焦点検出エリアのサイズおよび位置を任意に変更することを可能とし、更に２つの焦点検出エリアの初期サイズ及び初期位置を上記記憶手段に記憶することで、焦点検出エリア切換え手段のＯＮとＯＦＦに割り当てることを可能とすることにより、電源投入時の焦点検出エリアのサイズ及び位置を任意に設定することを可能としたことを特徴とするものである。
【００１６】
【発明の実施の形態】
以下に本発明の実施の形態を添付図面に基づいて説明する。
【００１７】
＜実施の形態１＞
本発明の実施の形態１を図１〜図５に基づき説明する。
【００１８】
図１は本発明による動画像撮影装置であるビデオレンズ、ビデオカメラ、テレビレンズ又はテレビカメラを始めとした光学機器装置の構成を示すブロック図であり、同図中、１は動画像撮影装置であるビデオレンズ、ビデオカメラ、テレビレンズ又はテレビカメラを始めとする光学装置、２はフォーカスレンズ、３は入力する光信号を電気信号に変換して映像信号として出力するＣＣＤ（撮像素子）である。
【００１９】
又、４はＣＣＤ３から出力される映像信号を処理する映像信号処理部、５は処理された映像信号を基にＡＦ評価値として尖鋭度を算出するＡＦ評価部、６はＡＦ評価部５から入力した尖鋭度を元にフォーカスレンズ２の目標位置を算出することで、モータ７を制御するＣＰＵ（中央処理装置）、７はフォーカスレンズ２を駆動するモータ、８はフォーカスレンズ２の位置を検出し、ＣＰＵ６へ現在位置フィードバック信号として入力する物体距離検出部、９は焦点検出エリア等を記憶する記憶部、１０は複数の操作スイッチから成る焦点検出エリア操作部である。
【００２０】
図２は図１の焦点検出エリア操作部１０における操作スイッチの配置図である。同図中、１１，１２は焦点検出エリアのサイズを設定するためのスイッチで、順に、焦点検出エリアサイズ拡大スイッチ、焦点検出エリアサイズ縮小スイッチである。１３は焦点検出エリア切換えスイッチ、１４は焦点検出エリア決定スイッチである。
【００２１】
処理は焦点検出エリアの記憶処理と焦点検出エリア切換え処理とに分けることができる。先ず、図１及び図２を用いて、各ブロックにおける記憶処理の流れを説明する。
【００２２】
図２の各操作スイッチは、ＣＰＵ６によって監視され、各操作スイッチを押すことで、それぞれに対応した処理がＣＰＵ６によって実行される。焦点検出エリアサイズ設定スイッチ１１，１２を押している間、ＣＰＵ６は撮影エリア内においてそれぞれのスイッチに対応する方向へ焦点検出エリアサイズを設定する。又、焦点検出エリア決定スイッチ１４は、ＯＮしたときの焦点検出エリアのサイズを、そのときの焦点検出エリア切換えスイッチ１３の状態（ＯＮ又はＯＦＦ）に割り当てて記憶部９へ記憶する。つまり、本実施の形態では、２つの異なるサイズの焦点検出エリアを記憶することができる。
【００２３】
図３は上記記憶処理におけるＣＰＵ６が実行する焦点検出エリアの記憶処理制御手順を示すフローチャートである。
【００２４】
図３中、step１０１では焦点検出エリアサイズ設定スイッチ１１，１２の何れかがＯＮされている場合には、step１０２で焦点検出エリアサイズを設定するスイッチ１１，１２の状態に応じた方向へ焦点検出エリアサイズを設定する。step１０１で焦点検出エリアサイズ設定スイッチ１１，１２の何れもＯＮされていない場合には、焦点検出エリアのサイズは固定した状態でstep１０３へ進む。
【００２５】
次に、step１０３では、焦点検出エリア決定スイッチ１４がＯＮされている状態で焦点検出エリア切換えスイッチ１３をＯＮされている場合にはstep１０４へ進み、その時の焦点検出エリアのサイズを焦点検出エリア１として、焦点検出エリア切換えスイッチ１３のＯＮに割り当て、これを記憶部９に記憶する。step１０３において、焦点検出エリア決定スイッチ１４がＯＮされている状態で焦点検出エリア切換えスイッチ１３をＯＮされていない場合には、step１０５へ進む。
【００２６】
step１０５では、焦点検出エリア決定スイッチ１４がＯＮされている状態で焦点検出エリア切換えスイッチ１３をＯＦＦされている場合にはstep１０６へ進む。step１０６では、そのときの焦点検出エリアのサイズを焦点検出エリア２として、焦点検出エリア切換えスイッチ１３のＯＦＦに割り当て、これを記憶部９に記憶する。step１０５において、焦点検出エリア決定スイッチ１４がＯＮされていない場合にはstep１０１へ戻る。又、step１０４及びstep１０６の次には、後述する焦点検出エリア切換え処理へ進む。
【００２７】
尚、図３の記憶処理フローにおいて、焦点検出エリア切換えスイッチ１３の焦点検出エリア切換え機能は自動的に解除されるものとする。即ち、焦点検出エリア記憶処理において焦点検出エリア切換えスイッチ１３をＯＮしたときには、焦点検出エリアが切り換わることはない。この後の焦点検出エリア切換え処理に移った時点で焦点検出エリア切換えスイッチの焦点検出エリア切換え機能が自動的に機能する。
【００２８】
次に、図１及び図２を用いて各ブロックにおける焦点検出エリアの切換え処理の流れを説明する。
【００２９】
撮影中、焦点検出エリア切換えスイッチ１３がＯＦＦされている間は、予めこのＯＦＦに割り当て、記憶部９へ記憶された焦点検出エリアを基にＡＦ評価部５で尖鋭度を算出し、ＣＰＵ６では、この尖鋭度及び物体距離検出部８で得られるフォーカスレンズ２の位置を基にしてフォーカスレンズ２の目標位置を算出する。モータ７は、この算出した値に従ってフォーカスレンズ２を駆動し、合焦処理を行う。同様にして、焦点検出エリア切換えスイッチがＯＮされている間は、予めＯＮに割り当て、記憶部９へ記憶された焦点検出エリアを基に合焦処理を行う。
【００３０】
図４は上記焦点検出エリアの切換え処理におけるＣＰＵ６が実行する処理制御手順を示すフローチャートである。
【００３１】
図４中、step２０１では、焦点検出エリアサイズ設定スイッチ１１，１２の全てがＯＦＦされていて、且つ、焦点検出エリア決定スイッチ１４がＯＦＦされている場合には、step２０２へ進む。尚、step２０１で、焦点検出エリアの移動スイッチ１１，１２がＯＮされているか、焦点検出エリア決定スイッチ１４がＯＮされている場合では、図３で示した焦点検出エリア記憶処理を開始する。
【００３２】
step２０２では、焦点検出エリア切換えスイッチ１３がＯＮされている場合にはstep２０３へ進み、予め記憶部９へ記憶された焦点検出エリア１で合焦処理を行う。step２０２において、焦点検出エリア切換えスイッチ１３がＯＮされていない場合にはstep２０４へ進み、予め記憶部９へ記憶された焦点検出エリア２で合焦処理を行う。又、step２０３，step２０４の次にはstep２０１へ戻り、同様の処理手順に従って合焦処理を行う。
【００３３】
図５は撮影中に焦点検出エリア切換えスイッチ１３を操作したときの、焦点検出エリアを切り替え、ＡＦ動作させることにより被写体の切り換わる様子を示す図である。
【００３４】
図５中、１５は撮影エリアである。１６は被写体Ａ、１７は焦点検出エリア１で撮影者が被写体Ａを合焦可能とするサイズに設定する。又、１８は被写体Ｂで、１９は被写体Ｃ、２０は焦点検出エリア２であり、撮影者が被写体Ｂ，Ｃの両方を合焦可能とするサイズに設定する。尚、２１，２２はそれぞれ焦点検出エリア切換えスイッチ１３をＯＦＦ／ＯＮしたときの焦点検出エリアの切り換わる方向を表している。又、電源投入後の焦点検出エリアのサイズは、焦点検出エリア記憶処理で割り当てた焦点検出エリア１や焦点検出エリア２のサイズに設定することを可能としても良い。
【００３５】
このようにして、焦点検出エリアの任意のサイズを焦点検出エリア切換えスイッチ１３のＯＮ又はＯＦＦに割り当てて、この焦点検出エリアのサイズを記憶部９へ記憶することで、１つのスイッチに対して２つの焦点検出エリアのサイズを記憶することができる。
【００３６】
尚、本実施の形態では、焦点検出エリア切換えスイッチ１３をＯＮ又はＯＦＦしている間常時合焦処理を継続しているが、焦点検出エリア切換えスイッチ１３のＯＮのみに対しては、合焦処理を１回行った後、フォーカスレンズを固定しても良い。又、焦点検出エリア切換えスイッチ１３のＯＦＦのみに対しては合焦処理を１回行った後、フォーカスレンズを固定しても良い。更に、焦点検出エリア切換えスイッチ１３のＯＮ及びＯＦＦのみに対しては合焦処理を１回行った後、フォーカスレンズを固定しても良い。又、本実施の形態では、焦点検出エリア決定スイッチ１４は１つで説明したが、焦点検出エリア切り替えスイッチ１３のＯＮとＯＦＦそれぞれに対して合わせて２つ構成しても良い。
【００３７】
以上のような構成を採用することによって、撮影者は撮影前に予め焦点検出エリアを設定しておくことができ、撮影中には余計な手間を掛けることなく、１つのスイッチで２つの焦点検出エリアのサイズを切換えることができ、結果として高速な焦点検出エリアの切換えが可能となり、又、他の操作に集中することが可能となる。
【００３８】
＜実施の形態２＞
以下、本発明の実施の形態２を図１及び図６〜図９に基づいて説明する。
【００３９】
図１は実施の形態１と同様の構成であり、同様の動作を行っているので説明を省略する。図６は図１の焦点検出エリア操作部１０の焦点検出エリア操作部の配置図である。基本的には、図２と同構成で、１０〜１４は説明を省略する。２３〜２６は焦点検出エリアを移動するためのスイッチで順に、焦点検出エリア左移動スイッチ、焦点検出エリア上移動スイッチ、焦点検出エリア右移動スイッチ、焦点検出エリア下移動スイッチである。
【００４０】
処理は焦点検出エリアの記憶処理と焦点検出エリア切換え処理とに分けることができる。先ず、図１と図６を用いて各ブロックにおける記憶処理の流れを説明する。
【００４１】
図６の各操作スイッチはＣＰＵ６によって監視され、各操作スイッチを押すことで、それぞれに対応した処理がＣＰＵ６によって実行される。焦点検出エリアサイズ設定スイッチ１１，１２を押している間の処理は、実施の形態１と同様で、説明を省略する。焦点検出エリア移動スイッチ２３〜２６を押している間、ＣＰＵ６は、撮影エリア内においてそれぞれのスイッチに対応する方向へ焦点検出エリアを移動する。又、焦点検出エリア決定スイッチ１４は、ＯＮしたときの焦点検出エリアのサイズ及び位置を、そのときの焦点検出エリア切換えスイッチ１３の状態（ＯＮ又はＯＦＦ）に割り当てて記憶部９へ記憶する。つまり、本実施の形態では、２つの異なるサイズ及び位置の焦点検出エリアを記憶することができる。
【００４２】
図７は本実施の形態におけるＣＰＵ６が実行する焦点検出エリアの記憶処理制御手順を示すフローチャートである。
【００４３】
図７中、step３０１では焦点検出エリア移動スイッチ２３〜２６の何れかがＯＮされている場合には、step３０２で焦点検出エリアの移動するスイッチ２３〜２６の状態に応じた位置に、焦点検出エリアを移動する。step３０１で焦点検出エリア移動スイッチ２３〜２６の何れもＯＮされていない場合には、焦点検出エリアの位置は固定した状態でstep３０３へ進む。
【００４４】
次に、step３０３では、焦点検出エリアサイズ設定スイッチ１１，１２の何れかがＯＮされている場合には、step３０４で焦点検出エリアサイズ設定スイッチ１１，１２の状態に応じた方向へ焦点検出エリアのサイズを設定する。又、step３０２，３０４の処理の後及びstep３０３で焦点検出エリアサイズ設定スイッチ１１，１２の何れもＯＮされていない場合にはstep３０５へ進む。step３０５では、焦点検出エリア決定スイッチ１４がＯＮされた状態で、焦点検出エリア切換えスイッチ１３がＯＮされたときにはstep３０６へ進み、そのときの焦点検出エリアの位置及びサイズを焦点検出エリア３として焦点検出エリア切換えスイッチ１３のＯＮに割り当て、これを記憶部９に記憶する。
【００４５】
step３０５で焦点検出エリア決定スイッチ１４がＯＮされた状態で、焦点検出エリア切換えスイッチ１３がＯＮされないときにはstep３０７へ進む。step３０７では、焦点検出エリア決定スイッチ１４がＯＮされた状態で、焦点検出エリア切換えスイッチ１３がＯＦＦされたときにはstep３０８へ進み、そのときの焦点検出エリアの位置及びサイズを焦点検出エリア４として焦点検出エリア切換えスイッチ１３のＯＦＦに割り当て、これを記憶部９に記憶する。
【００４６】
step３０７において、焦点検出エリア決定スイッチ１４がＯＮされないときにはstep３０１へ進む。又、step３０６，３０８の次には、後述する焦点検出エリア切換え処理へ進む。尚、図７の記憶処理フローにおいて、焦点検出エリア切換えスイッチ１３の焦点検出エリア切換え機能は自動的に解除されるものとする。即ち、焦点検出エリア記憶処理において焦点検出エリア切換えスイッチ１３をＯＮしたときには、焦点検出エリアが切り換わることはない。この後の焦点検出エリア切換え処理に移った時点で焦点検出エリア切換えスイッチの焦点検出エリア切換え機能が自動的に機能する。
【００４７】
ここで、焦点検出エリア切換え処理の流れは実施の形態１と同様であるので説明を省略する。
【００４８】
図８は焦点検出エリア操作部１０を操作した場合のＣＰＵ６が実行する処理制御手順を示すフローチャートである。
【００４９】
図１０において、step４０２はstep２０２と同様の処理を行うので説明を省略する。step４０１は焦点検出エリアサイズ設定スイッチ１１，１２と焦点検出エリア移動スイッチ２３〜２６の全てがＯＦＦされた状態で且つ焦点検出エリア決定スイッチ１４がＯＦＦでないときには焦点検出エリア記憶処理へ進む。step４０３では、予め記憶部９へ記憶された焦点検出エリア３で合焦処理を行い、step４０４では、予め記憶部９へ記憶された焦点検出エリア４で合焦処理を行う。又、step４０３，step４０４の次にはstep４０１へ戻り、同様の処理手順に従って合焦処理を行う。
【００５０】
図９は撮影中に焦点検出エリア切換えスイッチ１３を操作したときの、焦点検出エリアを切り替え、ＡＦ動作させることにより被写体の切り換わる様子を示す図である。
【００５１】
図９中、１５は実施の形態１と同様に、撮影エリアである。２７は被写体Ｄ、２８は焦点検出エリア３で撮影者が被写体Ｄを合焦可能とするサイズ及び位置に設定する。又、２９は被写体Ｅで、３０は焦点検出エリア４であり、撮影者が被写体Ｅを合焦可能とするサイズ及び位置に設定する。尚、２１，２２は実施の形態１と同様に、それぞれ焦点検出エリア切換えスイッチ１３をＯＦＦ／ＯＮしたときの焦点検出エリアの切り換わる方向を表している。又、電源投入後の焦点検出エリアのサイズ及び位置は、焦点検出エリア記憶処理で割り当てた焦点検出エリア３や焦点検出エリア４のサイズ及び位置に設定することを可能としても良い。
【００５２】
尚、本実施の形態では焦点検出エリア切換えスイッチ１３をＯＮ又はＯＦＦしている間常時合焦処理を継続しているが、焦点検出エリア切換えスイッチのＯＮのみに対しては、合焦処理を１回行った後、フォーカスレンズ２を固定しても良い。又、焦点検出エリア切換えスイッチ１３のＯＦＦのみに対しては、合焦処理を１回行った後、フォーカスレンズ２を固定しても良い。更に、焦点検出エリア切換えスイッチ１３のＯＮ及びＯＦＦのみに対しては、合焦処理を１回行った後、フォーカスレンズ２を固定しても良い。又、本実施の形態では焦点検出エリア決定スイッチ１４は１つで説明したが、焦点検出エリア切り替えスイッチ１３のＯＮとＯＦＦそれぞれに対して合わせて２つ構成しても良い。
【００５３】
以上のような構成を採用することによって、撮影者は撮影前に予め焦点検出エリアを設定しておくことができ、撮影中には余計な手間を掛けることなく、１つのスイッチで２つの焦点検出エリアのサイズ及び位置を切換えることができ、結果として高速な焦点検出エリアの切換えが可能となり、又、他の操作に集中することが可能となる。
【００５４】
＜実施の形態３＞
以下、本発明の実施の形態３を図１及び図６〜図１１に基づいて説明する。
【００５５】
図１は実施の形態１と、図６、図８及び図９は実施の形態２と同様の構成であり、同様の動作を行っているので説明を省略する。図１０は本実施の形態におけるＣＰＵ６が実行する焦点検出エリアの記憶処理制御手順を示すフローチャートである。
【００５６】
図１０において、step５０１〜５０４はstep３０１〜３０４と同様であるので説明を省略する。step５０５では、焦点検出エリア決定スイッチ１４がＯＮされたときには、step５０６へ進み、そのときの焦点検出エリアの位置及びサイズを焦点検出エリア３として、焦点検出エリア切換えスイッチ１３のＯＮに割り当て、これを記憶部９に記憶する。step５０５で焦点検出エリア決定スイッチ１４がＯＮされないときにはstep５０１へ進む。
【００５７】
又、step５０６の次には、図１１に示す焦点検出エリア切換え処理へ進む。図１１のstep６０１，６０３〜６０５は図８のstep４０１〜４０４と同様であるので説明を省略する。step６０２では、予め設定してある焦点検出エリアのサイズ及び位置を焦点検出エリア４として記憶部９へ記憶する。
【００５８】
このように、一種類の焦点検出エリアのサイズ及び位置のみの設定及び記憶処理を自動的に行うことにより、一種類の焦点検出エリアのサイズ及び位置の記憶処理のみによって、２種類の焦点検出エリアの切換えを可能とすることができるようになる。
【００５９】
尚、本実施の形態では、焦点検出エリアのサイズ及び位置を設定・記憶することを可能としているが、実施の形態１のように、焦点検出エリアのサイズのみを設定・記憶することを可能としても良い。
【００６０】
又、電源投入後の焦点検出エリアのサイズ及び位置は、焦点検出エリア記憶処理で割り当てた焦点検出エリア３に設定することを可能としても良い。
【００６１】
又、本実施の形態では、焦点検出エリア切換えスイッチ１３をＯＮ又はＯＦＦしている間、常時合焦処理を継続しているが、焦点検出エリア切換えスイッチ１３のＯＮのみに対しては、合焦処理を１回行った後、フォーカスレンズ２を固定しても良い。又、焦点検出エリア切換えスイッチ１３のＯＦＦのみに対しては、合焦処理を１回行った後、フォーカスレンズ２を固定しても良い。更に、焦点検出エリア切換えスイッチ１３のＯＮ及びＯＦＦのみに対しては、合焦処理を１回行った後、フォーカスレンズ２を固定しても良い。
【００６２】
以上のような構成を採用することによって、撮影者は撮影前に予め焦点検出エリアを設定しておくことができ、撮影中には余計な手間を掛けることなく、1 つのスイッチで２つの焦点検出エリアのサイズ及び位置を切換えることができ、結果として高速な焦点検出エリアの切換えが可能となり、又、他の操作に集中することが可能となる。
【００６３】
＜実施の形態４＞
以下、本発明の実施の形態４を図１及び図６〜図９、図１２及び図１３に基づいて説明する。
【００６４】
図１は実施の形態１と、図６、図８及び図９は実施の形態２と同様の構成であり、同様の動作を行っているので説明を省略する。図１２は本実施の形態におけるＣＰＵ６が実行する焦点検出エリアの記憶処理制御手順を示すフローチャートである。図１２中、step７０１〜７０４はstep３０１〜３０４と同様であるので説明を省略する。
【００６５】
step７０５では、焦点検出エリア決定スイッチ１４がＯＮされたときにはstep７０６へ進み、そのときの焦点検出エリアの位置及びサイズを焦点検出エリア４として、焦点検出エリア切換えスイッチ１３のＯＦＦに割り当て、これを記憶部９に記憶する。step７０５で焦点検出エリア決定スイッチ１４がＯＮされないときにはstep７０１へ進む。
【００６６】
又、step７０６の次には、図１３に示す焦点検出エリア切換え処理へ進む。図１３のstep８０１，８０３〜８０５は図８のstep４０１〜４０４と同様であるので説明を省略する。step８０２では、予め設定してある焦点検出エリアのサイズ及び位置を焦点検出エリア３として記憶部９へ記憶する。
【００６７】
このように、一種類の焦点検出エリアのサイズ及び位置のみの設定及び記憶処理を自動的に行うことにより、１種類の焦点検出エリアのサイズ及び位置の記憶処理のみによって、２種類の焦点検出エリアの切換えを可能とすることができるようになる。
【００６８】
尚、本実施の形態では、焦点検出エリアのサイズ及び位置を設定・記憶することを可能としているが、実施の形態１のように、焦点検出エリアのサイズのみを設定・記憶することを可能としても良い。
【００６９】
又、電源投入後の焦点検出エリアのサイズ及び位置は、焦点検出エリア記憶処理で割り当てた焦点検出エリア４に設定することを可能としても良い。
【００７０】
又、本実施の形態では、焦点検出エリア切換えスイッチ１３をＯＮ又はＯＦＦしている間、常時合焦処理を継続しているが、焦点検出エリア切換えスイッチ１３のＯＮのみに対しては、合焦処理を１回行った後、フォーカスレンズ２を固定しても良い。又、焦点検出エリア切換えスイッチ１３のＯＦＦのみに対しては、合焦処理を１回行った後、フォーカスレンズ２を固定しても良い。更に、焦点検出エリア切換えスイッチ１３のＯＮ及びＯＦＦのみに対しては、合焦処理を１回行った後、フォーカスレンズ２を固定しても良い。
【００７１】
以上のような構成を採用することによって、撮影者は撮影前に予め焦点検出エリアを設定しておくことができ、撮影中には余計な手間を掛けることなく、１つのスイッチで２つの焦点検出エリアのサイズ及び位置を切換えることができ、結果として高速な焦点検出エリアの切換えが可能となり、又、他の操作に集中することが可能となる。
【００７２】
＜実施の形態５＞
以下、本発明の実施の形態を図１及び図９、図１４〜図１７に基づいて説明する。
【００７３】
図１は実施の形態１と、図９は実施の形態２と同様の構成であり、同様の動作を行っているために説明を省略する。図１４は図１の焦点検出エリア操作部１０の焦点検出エリア操作部の配置図である。基本的には、図６と同構成で、１１〜１４，２３〜２６は説明を省略する。３１は焦点検出初期エリア決定スイッチである。
【００７４】
ここで、図１と図１４を用いて、各ブロックにおける処理の流れを説明する。実施の形態１と同様で、処理は焦点検出エリア記憶処理と焦点検出エリア切換え処理とに分けることができる。焦点検出エリア記憶処理は基本的には実施の形態１と同様であるが、焦点検出初期エリア決定スイッチ３１は、焦点検出エリア切換えスイッチと共に操作することにより、焦点検出エリアの電源投入後の焦点検出エリア切換えスイッチ１３への焦点検出エリアのサイズ及び位置を割り当て、記憶部９に記憶することができる。このようにして、焦点検出エリアの任意のサイズ及び位置を初期値として焦点検出エリア切換えスイッチ１３に割り当てることができる。
【００７５】
図１５及び図１６は上記記憶処理におけるＣＰＵ６が実行する焦点検出エリアの記憶処理制御手順を示すフローチャートである。
【００７６】
同図中、step９０１〜９０６，９０８は、step３０１〜３０６，３０８とそれぞれ同様の処理を行っているので説明を省略する。step９０７は、焦点検出エリア決定スイッチ１４がＯＮされた状態で、焦点検出エリア切換えスイッチ１３がＯＦＦされていないとき、step９０９へ進む。
【００７７】
step９０９では、焦点検出初期エリア決定スイッチ３１がＯＮの状態で焦点検出エリア切換えスイッチ１３がＯＮされるとstep９１０へ進み、そのときの焦点検出エリアのサイズ及び位置を初期エリア３として記憶部９へ記憶し、焦点検出エリア切換えスイッチ１３のＯＮへ割り当てる。step９０９において焦点検出初期エリア決定スイッチ３１がＯＮの状態で焦点検出エリア切換えスイッチ１３がＯＮされないときにはstep９１１へ進む。
【００７８】
step９１１で、焦点検出エリア切換えスイッチ１３がＯＦＦの状態で焦点検出初期エリア決定スイッチ３１がＯＮされたときにはstep９１２へ進み、そのときの焦点検出エリアのサイズ及び位置を初期ポジション４として記憶部９へ記憶し、焦点検出エリア切換えスイッチ１３のＯＦＦに割り当てる。step９１１において、焦点検出エリア切換えスイッチ１３がＯＦＦされないときには、step９０１へ進む。又、step９１０及びstep９１２の次には、図１７で示した焦点検出エリア切換え処理へ進む。
【００７９】
各ブロックにおける焦点検出エリア切換え処理の流れは、実施の形態１とほぼ同様であるので説明を省略する。
【００８０】
図１７は上記記憶処理におけるＣＰＵ６が実行する処理制御手順を示すフローチャートである。図１７のstep１１２〜１１４は実施の形態２における図８のstep４０２〜４０４と同様であるので説明を省略する。
【００８１】
step１１１では、焦点検出エリアサイズ設定スイッチ１１，１２と焦点検出エリア移動スイッチ２３〜２６の全てがＯＦＦされていて、且つ、焦点検出エリア決定スイッチ１４がＯＦＦの状態でないときに、図１５及び図１６５のフローチャートで示す初期ポジションの記憶処理へ進む。
【００８２】
尚、本実施の形態では、焦点検出エリアのサイズ及び位置を設定・記憶することを可能としているが、実施の形態１のように、焦点検出エリアのサイズのみを設定・記憶することを可能としても良い。又、実施の形態３，４と同様に焦点検出エリア３や４を自動的に記憶することを可能としても良い。又、電源投入後の焦点検出エリアのサイズ及び位置は、焦点検出エリア記憶処理で割り当てた焦点検出エリア３や焦点検出エリア４に設定することを可能としても良い。
【００８３】
又、本実施の形態では、焦点検出エリア切換えスイッチ１３をＯＮ又はＯＦＦしている間常時合焦処理を継続しているが、焦点検出エリア切換えスイッチ１３のＯＮのみに対しては、合焦処理を１回行った後、フォーカスレンズ２を固定しても良い。又、焦点検出エリア切換えスイッチ１３のＯＦＦのみに対しては、合焦処理を１回行った後、フォーカスレンズ２を固定しても良い。更に、焦点検出エリア切換えスイッチ１３のＯＮ及びＯＦＦのみに対しては、合焦処理を１回行った後、フォーカスレンズ２を固定しても良い。又、本実施の形態では、焦点検出初期エリア決定スイッチ３１は１つで説明したが、焦点検出エリア切り替えスイッチ１３のＯＮとＯＦＦそれぞれに対して合わせて２つ構成しても良い。
【００８４】
以上のような構成を採用することによって、撮影者は焦点検出エリアの位置を任意に変更することが可能となり、更に２つの焦点検出エリアの初期サイズ及び初期位置を記憶部９に記憶することで、焦点検出エリア切換えスイッチ１３のＯＮとＯＦＦに割り当てることを可能とすることにより、電源投入時の焦点検出エリアのサイズ及び位置を任意に設定することが可能となり、結果として電源投入後、焦点検出エリアの設定をすることなく、迅速に撮影を開始することが可能となる。
【００８５】
【発明の効果】
以上説明したように、第１の本発明によれば、フォーカスレンズ、入力する光信号を電気信号に変換して映像信号として出力するＣＣＤ（撮像素子）、ＣＣＤから出力される映像信号を処理する映像信号処理部、処理された映像信号から尖鋭度を算出するＡＦ評価部、フォーカスレンズを動かして物体距離を変更するモータ、モータの位置を検出する物体距離検出部、尖鋭度を基にしてフォーカスレンズの目標位置を算出するＣＰＵ（中央処理装置）でモータを制御することで、フォーカスレンズを動かして被写体への合焦処理を行う構成の動画像撮影装置であるビデオレンズ、ビデオカメラ、テレビレンズ又はテレビカメラを始めとした光学機器装置において、
焦点検出エリアのサイズを任意に設定するための、焦点検出エリアサイズ設定スイッチ、そして焦点検出エリアを切換えるための焦点検出エリア切換えスイッチ、焦点検出エリアのサイズを焦点検出エリア切換えスイッチに割り当て、記憶部に記憶させるための焦点検出エリア決定スイッチから構成される焦点検出エリア操作部を有することにより、
撮影者は撮影前に予め焦点検出エリアを設定しておくことができ、撮影中には余計な手間を掛けることなく、1 つのスイッチで２つの焦点検出エリアのサイズを切換えることができ、結果として高速な焦点検出エリアの切換えが可能となり、又、他の操作に集中することが可能となる。
【００８６】
又、第２〜第４の本発明によれば、フォーカスレンズ、入力する光信号を電気信号に変換して映像信号として出力するＣＣＤ（撮像素子）、ＣＣＤから出力される映像信号を処理する映像信号処理部、処理された映像信号から尖鋭度を算出するＡＦ評価部、フォーカスレンズを動かして物体距離を変更するモータ、モータの位置を検出する物体距離検出部、尖鋭度を基にしてフォーカスレンズの目標位置を算出するＣＰＵ（中央処理装置）でモータを制御することで、フォーカスレンズを動かして被写体への合焦処理を行う構成の動画像撮影装置であるビデオレンズ、ビデオカメラ、テレビレンズ又はテレビカメラを始めとした光学機器装置において、
焦点検出エリアのサイズを任意に設定するための焦点検出エリアサイズ設定スイッチ、焦点検出エリアの位置を任意に設定するための焦点検出エリア移動スイッチ、そして焦点検出エリアを切換えるための焦点検出エリア切換えスイッチ、焦点検出エリアのサイズ及び位置を焦点検出エリア切換えスイッチに割り当て、記憶部に記憶させるための焦点検出エリア決定スイッチから構成される焦点検出エリア操作部を有することにより、
撮影者は撮影前に予め焦点検出エリアを設定しておくことができ、撮影中には余計な手間を掛けることなく、1 つのスイッチで２つの焦点検出エリアのサイズを切換えることができ、結果として高速な焦点検出エリアの切換えが可能となり、又、他の操作に集中することが可能となる。
【００８７】
又、第５の本発明によれば、ＡＦ技術による動画像撮影装置であるビデオレンズ、ビデオカメラ、テレビレンズ又はテレビカメラを始めとした光学機器装置のうちの、フォーカスレンズ、入力する光信号を電気信号に変換して映像信号として出力するＣＣＤ（撮像素子）、ＣＣＤから出力される映像信号を処理する映像信号処理部、処理された映像信号から尖鋭度を算出するＡＦ評価部、フォーカスレンズを動かして物体距離を変更するモータ、モータの位置を検出する物体距離検出部、尖鋭度を基にしてフォーカスレンズの目標位置を算出するＣＰＵ（中央処理装置）でモータを制御することで、フォーカスレンズを動かして被写体への合焦処理を行う構成の動画像撮影装置であるビデオレンズ、ビデオカメラ、テレビレンズ又はテレビカメラを始めとした光学機器装置において、
焦点検出エリアのサイズを任意に設定するための焦点検出エリアサイズ設定スイッチ、焦点検出エリアの位置を任意に設定するための焦点検出エリア移動スイッチ、焦点検出エリアを切換えるための焦点検出エリア切換えスイッチ、焦点検出エリアの位置を焦点検出エリア切換えスイッチに割り当て、記憶部に記憶させるための焦点検出エリア決定スイッチ、焦点検出エリアの初期の位置を設定する焦点検出初期エリア決定スイッチから構成される焦点検出エリア操作部を有することにより、
撮影者は撮影前に予め焦点検出エリアの初期の位置を設定しておくことができ、電源投入後には毎回焦点検出エリアの記憶処理を行うことなく、結果として迅速に撮影を開始することが可能となる。
【図面の簡単な説明】
【図１】本発明の実施の形態１〜５のブロック図である。
【図２】本発明の実施の形態１の焦点検出エリア操作部構成ブロック図である。
【図３】本発明の実施の形態１の焦点検出エリア記憶処理フローチャートである。
【図４】本発明の実施の形態１の焦点検出エリア切換え処理フローチャートである。
【図５】本発明の実施の形態１の焦点検出エリア切替え動作説明図である。
【図６】本発明の実施の形態２〜４の焦点検出エリア操作部構成ブロック図である。
【図７】本発明の実施の形態２の焦点検出エリア記憶処理フローチャートである。
【図８】本発明の実施の形態２〜４の焦点検出エリア切換え処理フローチャートである。
【図９】本発明の実施の形態２〜５の焦点検出エリア切替え動作説明図である。
【図１０】本発明の実施の形態３の焦点検出エリア記憶処理フローチャートである。
【図１１】本発明の実施の形態３の焦点検出エリア切換え処理フローチャートである。
【図１２】本発明の実施の形態４の焦点検出エリア記憶処理フローチャートである。
【図１３】本発明の実施の形態４の焦点検出エリア切換え処理フローチャートである。
【図１４】本発明の実施の形態５の焦点検出エリア操作部構成ブロック図である。
【図１５】本発明の実施の形態５の焦点検出エリア記憶処理フローチャート１である。
【図１６】本発明の実施の形態５の焦点検出エリア記憶処理フローチャート２である。
【図１７】本発明の実施の形態５の焦点検出エリア切換え処理フローチャートである。
【図１８】従来例のブロック図である。
【符号の説明】
１    光学機器
２    フォーカスレンズ
３    ＣＣＤ
４    映像信号処理部
５    ＡＦ評価部
６    ＣＰＵ
７    モータ
８    物体距離検出部
９    記憶部
１０    焦点検出エリア操作部
１１    焦点検出エリアサイズ拡大スイッチ
１２    焦点検出エリアサイズ縮小スイッチ
１３    焦点検出エリア切換えスイッチ
１４    焦点検出エリア決定スイッチ
１５    撮影エリア
１６    被写体Ａ
１７    焦点検出エリア１
１８    被写体Ｂ
１９    被写体Ｃ
２０    焦点検出エリア２
２１    焦点検出エリア切換えスイッチ１３をＯＦＦしたときの焦点検出エリアの切り換わる方向
２２    焦点検出エリア切換えスイッチ１３をＯＮしたときの焦点検出エリアの切り換わる方向
２３    焦点検出エリア左移動スイッチ
２４    焦点検出エリア上移動スイッチ
２５    焦点検出エリア右移動スイッチ
２６    焦点検出エリア下移動スイッチ
２７    被写体Ｄ
２８    焦点検出エリア３
２９    被写体Ｅ
３０    焦点検出エリア４
３１    焦点検出初期エリア決定スイッチ
【図１】
0004298345.tif 000002
【図２】
0004298345.tif 000003
【図３】
0004298345.tif 000004
【図４】
0004298345.tif 000005
【図５】
0004298345.tif 000006
【図６】
0004298345.tif 000007
【図７】
0004298345.tif 000008
【図８】
0004298345.tif 000009
【図９】
0004298345.tif 000010
【図１０】
0004298345.tif 000011
【図１１】
0004298345.tif 000012
【図１２】
0004298345.tif 000013
【図１３】
0004298345.tif 000014
【図１４】
0004298345.tif 000015
【図１５】
0004298345.tif 000016
【図１６】
0004298345.tif 000017
【図１７】
0004298345.tif 000018
【図１８】
0004298345.tif 000019